【手続補正書】
【提出日】平成18年3月24日(2006.3.24)
【手続補正１】
【補正対象書類名】特許請求の範囲
【補正対象項目名】全文
【補正方法】変更
【補正の内容】
【特許請求の範囲】
【請求項１】
表面上に細菌バイオフィルムが成長している損傷組織または留置人工装置もしくはカテーテルを体内に有する患者を、前記バイオフィルムを少なくとも部分的に破壊するように治療する方法であって、前記患者に、バイオフィルム形成細菌を致死または損傷させる少なくとも１種の抗菌酵素を、バイオフィルムと接触させると該バイオフィルムを少なくとも部分的に破壊するのに有効な量投与することを含む方法。
【請求項２】
前記抗菌酵素量が、前記バイオフィルムが成長している表面から前記バイオフィルムを完全に根絶するのに有効である、請求項１に記載の方法。
【請求項３】
抗菌酵素を少なくとも１種の他の抗菌剤と併用する、請求項１に記載の方法。
【請求項４】
前記バイオフィルムがブドウ球菌性である、請求項１に記載の方法。
【請求項５】
前記バイオフィルムが黄色ブドウ球菌を含んでなる、請求項４に記載の方法。
【請求項６】
前記バイオフィルムが表皮ブドウ球菌を含んでなる、請求項４に記載の方法。
【請求項７】
前記バイオフィルムが黄色ブドウ球菌と表皮ブドウ球菌とを含んでなる、請求項４に記載の方法。
【請求項８】
リソスタフィンまたはリソスタフィン類似体を投与することを含んでなる、請求項４に記載の方法。
【請求項９】
リソスタフィンまたはリソスタフィン類似体もしくはリソスタフィンと同じ酵素活性を有するキメラ分子を投与することを含んでなる、請求項１に記載の方法。
【請求項１０】
組換え発現され完全な活性を有する同種リソスタフィンを投与する、請求項８に記載の方法。
【請求項１１】
前記リソスタフィンが人工合成されている、請求項８に記載の方法。
【請求項１２】
前記抗菌酵素が人工合成されている、請求項１に記載の方法。
【請求項１３】
前記リソスタフィンが天然由来である、請求項８に記載の方法。
【請求項１４】
前記リソスタフィンをブドウ球菌に有効な他の抗生物質と併用する、請求項８に記載の方法。
【請求項１５】
前記他の抗生物質が細胞壁合成を妨害または阻害する、請求項１４に記載の方法。
【請求項１６】
前記抗生物質が、β‐ラクタム、セファロスポリン、グリコペプチド、アミノグリコシド、スルホノミド（ｓｕｌｆｏｎｏｍｉｄｅ）、マクロライド、葉酸、ポリペプチドおよびそれらの組み合わせからなる群から選択される、請求項１５に記載の方法。
【請求項１７】
前記他の抗生物質がタンパク質合成を妨害する、請求項１４に記載の方法。
【請求項１８】
前記他の抗生物質が、グリコシド、テトラサイクリンおよびストレプトグラミンを含んでなる、請求項１７に記載の方法。
【請求項１９】
バイオフィルム形成細菌を致死または損傷させる少なくとも１種の抗菌酵素を予防上有効な量投与して、患者内のバイオフィルム成長が生じやすいインプラント表面または損傷組織上におけるバイオフィルム成長を予防する方法。
【請求項２０】
前記患者が、バイオフィルム成長が生じやすい表面を備えた留置カテーテルまたは人工装置を有する、請求項１９に記載の方法。
【請求項２１】
前記バイオフィルムがブドウ球菌のバイオフィルムである、請求項１９に記載の方法。
【請求項２２】
前記バイオフィルムが黄色ブドウ球菌を含んでなる、請求項２１に記載の方法。
【請求項２３】
前記バイオフィルムが表皮ブドウ球菌である、請求項２１に記載の方法。
【請求項２４】
前記バイオフィルムが、黄色ブドウ球菌と表皮ブドウ球菌とを含んでなる、請求項２１に記載の方法。
【請求項２５】
前記投与が、少なくとも１種のリソスタフィンまたはリソスタフィン類似体もしくはリソスタフィンと同じ酵素活性を有するキメラ分子を投与することを含んでなる、請求項２１に記載の方法。
【請求項２６】
前記投与が、少なくとも１種のリソスタフィンまたはリソスタフィン類似体もしくはリソスタフィンと同じ酵素活性を有するキメラ分子を投与するステップを含んでなる、請求項１９に記載の方法。
【請求項２７】
組換え発現され完全な活性を有する同種リソスタフィンを投与する、請求項２５に記載の方法。
【請求項２８】
前記リソスタフィンが人工合成されている、請求項２５に記載の方法。
【請求項２９】
前記抗菌酵素が人工合成されている、請求項１９に記載の方法。
【請求項３０】
前記リソスタフィンが天然由来である、請求項２５に記載の方法。
【請求項３１】
前記リソスタフィンをブドウ球菌に有効な他の抗生物質と併用する、請求項１９に記載の方法。
【請求項３２】
前記他の抗生物質が細胞壁合成を妨害または阻害する、請求項１９に記載の方法。
【請求項３３】
前記抗生物質が、β‐ラクタム、セファロスポリン、アミノグリコシド、スルホノミド、マクロライド、葉酸、グリコペプチド、ポリペプチドおよびそれらの組み合わせからなる群から選択される、請求項１９に記載の方法。
【請求項３４】
前記他の抗生物質がタンパク質合成を妨害する、請求項１９に記載の方法。
【請求項３５】
前記他の抗生物質が、グリコシド、テトラサイクリンおよびストレプトグラミンを含んでなる、請求項１９に記載の方法。
【請求項３６】
前記リソスタフィンを、埋め込む前の前記カテーテル内または前記人工装置上に導入する、請求項２０に記載の方法。
【請求項３７】
溶液のポンプ注入により前記リソスタフィンを前記カテーテルに導入する、請求項３６に記載の方法。
【請求項３８】
前記リソスタフィンを挿入後の前記カテーテルに導入する、請求項２０に記載の方法。
【請求項３９】
ボーラス注入により前記リソスタフィンを前記カテーテルに導入する、請求項３８に記載の方法。
【請求項４０】
低速注入により前記リソスタフィンを前記カテーテルに導入する、請求項３８に記載の方法。
【請求項４１】
表面を生体外（ｅｘ  ｖｉｖｏ）で消毒または殺菌して、バイオフィルム形成細菌の該表面上での増殖を予防する方法であって、前記表面と、前記バイオフィルム形成細菌を致死または損傷させる少なくとも１種の予防上有効な量の抗菌酵素とを接触させることを含んでなる方法。
【請求項４２】
前記バイオフィルム形成細菌がブドウ球菌を含む、請求項４１に記載の方法。
【請求項４３】
前記バイオフィルム形成細菌が黄色ブドウ球菌を含む、請求項４２に記載の方法。
【請求項４４】
前記バイオフィルム形成細菌が表皮ブドウ球菌を含む、請求項４２に記載の方法。
【請求項４５】
前記バイオフィルム形成細菌が、黄色ブドウ球菌と表皮ブドウ球菌とを含む、請求項４２に記載の方法。
【請求項４６】
前記接触が、前記表面と、少なくとも１種のリソスタフィンまたはリソスタフィン類似体もしくはリソスタフィンと同じ酵素活性を有するキメラ分子とを接触させることを含んでなる、請求項４２に記載の方法。
【請求項４７】
前記接触が、前記表面と、少なくとも１種のリソスタフィンまたはリソスタフィン類似体もしくはリソスタフィンと同じ酵素活性を有するキメラ分子とを接触させることを含ん
でなる、請求項４１に記載の方法。
【請求項４８】
前記表面と、組換え発現され完全な活性を有する同種リソスタフィンとを接触させる、請求項４１に記載の方法。
【請求項４９】
前記リソスタフィンが人工合成されている、請求項４８に記載の方法。
【請求項５０】
前記抗菌酵素が人工合成されている、請求項４１に記載の方法。
【請求項５１】
前記リソスタフィンを、ブドウ球菌に有効な他の抗生物質と併用する、請求項４８に記載の方法。
【請求項５２】
前記他の抗生物質が細胞壁合成を妨害または阻害する、請求項５１に記載の方法。
【請求項５３】
前記抗生物質が、β‐ラクタム、セファロスポリン、グリコペプチド、ポリペプチドおよびそれらの組み合わせからなる群から選択される、請求項５２に記載の方法。
【請求項５４】
前記他の抗生物質がタンパク質合成を妨害する、請求項５１に記載の方法。
【請求項５５】
前記他の抗生物質がグリコシド、テトラサイクリンおよびストレプトグラミンを含んでなる、請求項５４に記載の方法。
【請求項５６】
人工装置またはカテーテルであって、それを必要とする患者に埋め込み可能であり、細菌バイオフィルムが成長しやすい少なくとも１つの表面を有し、バイオフィルム形成の予防に有効な量のバイオフィルム形成細菌を致死させる少なくとも１種の抗菌酵素でコーティングされている人工装置またはカテーテル。
【請求項５７】
前記酵素コーティングが前記表面に共有結合している、請求項５６に記載の装置またはカテーテル。
【請求項５８】
前記少なくとも１つの表面は、前記酵素をポリマー表面から実質的に放出させることなく前記ポリマー表面に呈するように、前記ポリマーと前記酵素とのブレンドを含んでなる、請求項５６に記載の装置またはカテーテル。
【請求項５９】
前記装置が、シャント、ステント、組織構築用足場、栄養補給菅、パンクタルプラグ、人工関節、ペースメーカー、人工弁からなる群から選択される、請求項５６に記載の装置またはカテーテル。
【請求項６０】
前記装置またはカテーテルが埋め込み式金属装置である、請求項５９に記載の装置またはカテーテル。
【請求項６１】
前記金属がチタンである、請求項６０に記載の装置またはカテーテル。